【手続補正書】
【提出日】平成27年2月19日(2015.2.19)
【手続補正１】
【補正対象書類名】明細書
【補正対象項目名】０００４
【補正方法】変更
【補正の内容】
【０００４】
【特許文献１】特開２００８―８３０８４号公報
【手続補正２】
【補正対象書類名】明細書
【補正対象項目名】００１６
【補正方法】変更
【補正の内容】
【００１６】
【図１】本開示の実施の形態に係る表示装置の一構成例を表すブロック図である。
【図２】図１に示した表示部の回路構成例を表す回路図である。
【図３】図１に示したサブ画素の回路構成例を表す回路図である。
【図４】図３に示したトランジスタの一構成例を表す説明図である。
【図５】図１に示した映像信号処理部の一構成例を表すブロック図である。
【図６】図５に示した補正処理部の一構成例を表すブロック図である。
【図７】図１に示した駆動部の一動作例を表すタイミング波形図である。
【図８】図１に示した表示装置の一動作例を表すタイミング波形図である。
【図９】図１に示した表示装置の書込期間における一動作例を表すタイミング波形図である。
【図１０】書込期間におけるソース電圧の平均化を説明するための説明図である。
【図１１】補正処理を説明するための説明図である。
【図１２】補正処理を説明するための他の説明図である。
【図１３】図３に示したサブ画素における等価容量を示す説明図である。
【図１４】ＥＬＡ装置による処理に起因する閾値電圧Ｖthのばらつきを説明するための模式図である。
【図１５】イオンインプラ装置による処理に起因する閾値電圧Ｖthのばらつきを説明するための模式図である。
【図１６】図２に示したサブ画素の配置を表す説明図である。
【図１７】図２に示した駆動トランジスタの配置を表す説明図である。
【図１８】比較例に係る表示部の回路構成例を表す回路図である。
【図１９】変形例に係る映像信号処理部の一構成例を表すブロック図である。
【図２０】他の変形例に係る表示部の回路構成例を表す回路図である。
【図２１】他の変形例に係るサブ画素の回路構成例を表す回路図である。
【図２２】他の変形例に係る表示部の回路構成例を表す回路図である。
【図２３】他の変形例に係るトランジスタの一構成例を表す説明図である。
【図２４】他の変形例に係る駆動トランジスタの配置を表す説明図である。
【図２５】実施の形態に係る表示装置が適用されたテレビジョン装置の外観構成を表す斜視図である。
【手続補正３】
【補正対象書類名】明細書
【補正対象項目名】００２２
【補正方法】変更
【補正の内容】
【００２２】
表示部１０は、図２に示したように、サブ画素１１と、列方向に延伸するデータ線ＤＴＬと、行方向に延伸する走査線ＷＳＬおよび電源線ＰＬと、電源トランジスタＤＳＴｒとを有している。各サブ画素１１は、走査線ＷＳＬ、電源線ＰＬ、およびデータ線ＤＴＬに接続されている。走査線ＷＳＬは、走査信号ＷＳを伝えるものであり、その一端は、図示していないが、走査線駆動部２３に接続されている。データ線ＤＴＬは、後述するように、画素電圧Ｖsigを含む信号Ｓigを伝えるものであり、その一端は、データ線駆動部２７に接続されている。また、電源線ＰＬは、各サブ画素１１に電源を供給するものであり、その一端は、電源トランジスタＤＳＴｒに接続されている。電源トランジスタＤＳＴｒは、例えば、ＰチャネルＭＯＳ（Metal Oxide Semiconductor）型のＴＦＴ（Thin Film Transistor；薄膜トランジスタ）により構成されるものである。電源トランジスタＤＳＴｒは、図示していないが、ソースが電源駆動部２６に接続され、ゲートが電源制御部２５に接続され、ドレインが電源線ＰＬに接続されている。この電源トランジスタＤＳＴｒは、電源線ＰＬを介して、表示部１０の１ライン分（Ｍ個）のサブ画素１１に接続されている。
【手続補正４】
【補正対象書類名】明細書
【補正対象項目名】００３１
【補正方法】変更
【補正の内容】
【００３１】
補正処理部４０は、映像信号Ｓ３３に含まれる、各サブ画素１１の輝度情報をラインごとに補正するものである。具体的には、補正処理部４０は、１ライン分（Ｍ個）のサブ画素１１の輝度情報Ｉ（１）〜Ｉ（Ｍ）に基づいて、その平均値Ａvgを求め、輝度情報Ｉ（１）〜Ｉ（Ｍ）およびその平均値Ａvgに基づいて輝度情報Ｊ（１）〜Ｊ（Ｍ）を生成する。そして、補正処理部４０は、その生成した輝度情報Ｊ（１）〜Ｊ（Ｍ）を映像信号Ｓdisp2として出力し、データ線駆動部２７のＤ／Ａ変換部３５（後述）に供給するようになっている。なお、以下では、輝度情報Ｉ（１）〜Ｉ（Ｍ）のうちの任意の１つを表すものとして輝度情報Ｉを適宜用い、同様に輝度情報Ｊ（１）〜Ｊ（Ｍ）のうちの任意の１つを表すものとして輝度情報Ｊを適宜用いるものとする。
【手続補正５】
【補正対象書類名】明細書
【補正対象項目名】００４４
【補正方法】変更
【補正の内容】
【００４４】
この構成により、駆動部２０は、後述するように、サブ画素１１に対して駆動トランジスタＤＲＴｒの素子ばらつきが画質に与える影響を抑えるための補正（Ｖth補正）を行った後に、サブ画素１１に対して画素電圧Ｖsigの書込みを行う。その際、駆動部２０は、補正処理部４０が生成した輝度情報Ｊに基づいて、画素電圧Ｖsigを生成し、サブ画素１１に対して書込みを行う。これにより、表示装置１は、後述するように、各サブ画素１１を所望の輝度で発光させることができるようになっている。
【手続補正６】
【補正対象書類名】明細書
【補正対象項目名】００９５
【補正方法】変更
【補正の内容】
【００９５】
映像信号処理部３０Ｂは、ガンマ変換部３６Ｂと、逆ガンマ変換部３７Ｂと、ガンマ設定部３８Ｂとを有している。ガンマ変換部３６Ｂは、ガンマ設定部３８Ｂからの指示に基づいて、信号処理部３２から供給された映像信号に対して、ガンマ変換を施すものである。具体的には、ガンマ変換部３６Ｂは、後述するパネルガンマ変換部３９Ｂにおけるガンマ変換と同様のガンマ変換を行うものである。補正処理部４０は、このガンマ変換部３６Ｂから供給された映像信号に対して、輝度情報の補正処理を行う。逆ガンマ変換部３７Ｂは、この補正処理部４０から供給された映像信号に対して、ガンマ変換部３６Ｂにおけるガンマ変換と反対の変換特性を有するガンマ変換を施し、映像信号Ｓdisp2を生成するものである。すなわち、この例では、映像信号Ｓdisp2は、線形なガンマ特性を有する信号である。ガンマ設定部３８Ｂは、ガンマ変換部３６Ｂ、逆ガンマ変換部３７Ｂ、および後述するパネルガンマ変換部３９Ｂに対して、ガンマ特性を指示するものである。
【手続補正７】
【補正対象書類名】明細書
【補正対象項目名】００９６
【補正方法】変更
【補正の内容】
【００９６】
Ｄ／Ａ変換部３５Ｂは、パネルガンマ変換部３９Ｂを有している。このパネルガンマ変換部３９Ｂは、上記実施の形態に係るパネルガンマ変換部３３と同様に、表示部１０の特性に対応した非線形なガンマ特性を有する映像信号に変換するものである。この例では、パネルガンマ変換部３９Ｂは、Ｄ／Ａ変換部３５Ｂと一体に構成されている。具体的には、Ｄ／Ａ変換部３５Ｂは、ラダー抵抗網を含んで構成されており、そのラダー抵抗網の各タップに、パネルガンマ変換のガンマ特性を実現するためのタップ電圧がそれぞれ印加されている。このタップ電圧は、ガンマ設定部３８Ｂからの指示に基づいて生成される。これにより、Ｄ／Ａ変換部３５Ｂは、非線形な変換特性により、輝度情報を画素電圧Ｖsigに変換するようになっている。
【手続補正８】
【補正対象書類名】明細書
【補正対象項目名】００９７
【補正方法】変更
【補正の内容】
【００９７】
このように構成することにより、補正処理部４０は、パネルガンマ変換後の信号と同様の非線形なガンマ特性を有する信号に対して、輝度情報の補正処理を行うことができる。
【手続補正９】
【補正対象書類名】明細書
【補正対象項目名】０１０６
【補正方法】変更
【補正の内容】
【０１０６】
図２３は、ＴＦＴの一構成例を表すものであり、（Ａ）は断面図を示し、（Ｂ）は要部平面図を示す。ＴＦＴは、ゲート電極２５０と、ポリシリコン層２３０とを有している。ポリシリコン層２３０は、基板１００上に形成された絶縁層２１０，２２０の上に形成されている。絶縁層２１０は、例えば窒化シリコン（ＳｉＮｘ）により構成され、絶縁層２２０は、例えば酸化シリコン（ＳｉＯ２）により構成されるものである。ポリシリコン層２３０は、上記参考例の場合と同様に、チャネル領域２３１、ＬＤＤ２３２、およびコンタクト領域２３３から構成されている。このポリシリコン層２３０の上には絶縁層２４０が形成されている。この絶縁層２４０は、例えば酸化シリコン（ＳｉＯ２）により構成されるものである。絶縁層２４０上には、ゲート電極２５０が形成されている。ゲート電極２５０は、例えばモリブデンＭｏなどにより構成されるものである。このように、この例では、ゲート電極２５０が、ポリシリコン層２３０の上部に形成されている。すなわち、このＴＦＴは、いわゆるトップゲート構造を有するものである。ゲート電極２５０および絶縁層２４０の上には、絶縁層２６０，２７０が、この順で形成されている。絶縁層２６０は、例えば酸化シリコン（ＳｉＯ２）により構成されるものであり、絶縁層２７０は、例えば窒化シリコン（ＳｉＮｘ）により構成されるものである。絶縁層２７０上には、配線２８０が形成されている。絶縁層２４０，２６０，２７０には、ポリシリコン層２３０のコンタクト領域２３３に対応する領域に開口部が形成され、配線２８０は、この開口部を介して、そのコンタクト領域２３３に接続されるように形成されている。
【手続補正１０】
【補正対象書類名】明細書
【補正対象項目名】０１０７
【補正方法】変更
【補正の内容】
【０１０７】
［変形例５］
上記実施の形態では、駆動トランジスタＤＲＴｒを、チャネル長（Ｌ）方向が走査方向Ｄ２になるように配置したが、これに限定されるものではなく、これに代えて、例えば、図２４に示したように、チャネル幅（Ｗ）方向が走査方向Ｄ２になるように配置してもよい。
【手続補正１１】
【補正対象書類名】図面
【補正対象項目名】図１９
【補正方法】変更
【補正の内容】
【図１９】
2014174219.tif 000001